(57)【特許請求の範囲】
【請求項１】
組み合わされて一対となった各チャンネルの送信スケルチデータおよび受信スケルチデータを、各チャンネルにプリセットされている一対の送信スケルチデータおよび受信スケルチデータから他の一対の送信スケルチデータおよび受信スケルチデータに変更するスケルチデータ変更機能を有する無線機において、
スケルチデータ変更機能は、
組み合わされて一対となった送信スケルチデータおよび受信スケルチデータをＮ組記憶する手段と、
この手段で記憶されたＮ組の送信スケルチデータおよび受信スケルチデータを１組ずつ順次選択し、かつこれらＮ組のデータ以外を選択する状態ともなる選択手段と、
この選択手段で１組ずつ前記送信スケルチデータおよび受信スケルチデータを選択したときは、その選択された一対の送信スケルチデータおよび受信スケルチデータにチャンネルの一対の送信スケルチデータおよび受信スケルチデータを変更する手段と、
前記選択手段がＮ組のデータ以外を選択する状態となったときは、チャンネルの一対の送信スケルチデータおよび受信スケルチデータを除去状態に設定する手段とからなる
ことを特徴とする無線機。
【発明の詳細な説明】
【０００１】
【発明の属する技術分野】
本発明は、スケルチデータ変更機能を有する無線機に関する。
【０００２】
【従来の技術】
例えば米国で使用されるＶＨＦ帯あるいはＵＨＦ帯のＦＭ無線機においては、各チャンネルのデータがメモリにプリセットされ、そのプリセットデータに従ったかたちで各チャンネルで送受信できる。図２は、メモリにプリセットされるデータを具体的に示す図で、各チャンネルには送信周波数、受信周波数、送信スケルチデータ、および受信スケルチデータがプリセットされる。ここで、受信スケルチデータは、該データに対応する周波数あるいはコード信号のスケルチ制御信号を相手機から受信したときのみ自機のスケルチを開いて相手機と通信可能とするデータである。また、送信スケルチデータは、該データに対応する周波数あるいはコード信号のスケルチ制御信号を自機から相手機に送信して、相手機が自機の送信スケルチデータと同一の受信スケルチデータのときに相手機のスケルチを開いて相手機と通信可能とするデータである。
【０００３】
これらスケルチデータは図２に示したように各チャンネルのデータとしてメモリにプリセットされているが、これを各チャンネルで一時的に変更する機能がある。それがプリセットデータ変更機能、いわゆるオペレータセレクタブルトーン（以下ＯＳＴと記す）機能である。このＯＳＴ機能においては、図３に示すように、例えば１６組（Ｎｏ１〜Ｎｏ１６）の送信スケルチデータおよび受信スケルチデータがメモリに記憶される。そして、無線機のＯＳＴキーを例えば１秒間長押しすることによりＯＳＴ機能に突入し、初期値としてはＮｏ１の送信スケルチデータおよび受信スケルチデータが選択されるが、例えばアップダウンキーの操作により、選択される送信スケルチデータおよび受信スケルチデータをＮｏ２からＮｏ１６に切り替えることができる。そして、このような選択操作を図２の各チャンネルで実施すれば、各チャンネルの送信スケルチデータおよび受信スケルチデータを図２のデータから図３のＯＳＴ機能の送信スケルチデータおよび受信スケルチデータに変更することができる。
【０００４】
通常、無線機においては、上記の送信スケルチデータおよび受信スケルチデータを各チャンネルに設定した状態で送受信を行っているが、これら送信スケルチデータおよび受信スケルチデータを除去した状態で送受信したい場合がある。例えば、受信スケルチデータを除去して自機ですべての相手機からの話を聞けるようにするとともに、送信スケルチデータを除去して、いままで送信スケルチデータでスケルチを開いていた相手機で自機の通信が聞けないようにする場合である。
【０００５】
【発明が解決しようとする課題】
しかし、従来の上記ＯＳＴ機能では、送信スケルチデータおよび受信スケルチデータの両方を除去した状態に設定することはできなかった。
【０００６】
一方、無線機にはモニタ機能があり、モニタキーを操作するとそのときだけ受信スケルチデータが除去されてすべての相手機からの話を聞ける状態になる。しかし、モニタ機能では、送信スケルチデータを除去することはできなかった。
【０００７】
本発明は上記の点に鑑みなされたもので、送信スケルチデータと受信スケルチデータの両方が除去された状態にも設定できるスケルチデータ変更機能を有する無線機を提供することを目的とする。
【０００８】
【課題を解決するための手段】
本発明の無線機は、組み合わされて一対となった各チャンネルの送信スケルチデータおよび受信スケルチデータを、各チャンネルにプリセットされている一対の送信スケルチデータおよび受信スケルチデータから他の一対の送信スケルチデータおよび受信スケルチデータに変更するスケルチデータ変更機能を有する無線機において、スケルチデータ変更機能は、組み合わされて一対となった送信スケルチデータおよび受信スケルチデータをＮ組記憶する手段と、この手段で記憶されたＮ組の送信スケルチデータおよび受信スケルチデータを１組ずつ順次選択し、かつこれらＮ組のデータ以外を選択する状態ともなる選択手段と、この選択手段で１組ずつ前記送信スケルチデータおよび受信スケルチデータを選択したときは、その選択された一対の送信スケルチデータおよび受信スケルチデータにチャンネルの一対の送信スケルチデータおよび受信スケルチデータを変更する手段と、前記選択手段がＮ組のデータ以外を選択する状態となったときは、チャンネルの一対の送信スケルチデータおよび受信スケルチデータを除去状態に設定する手段とからなることを特徴とする。
【０００９】
【発明の実施の形態】
次に添付図面を参照して本発明による無線機の実施の形態を詳細に説明する。図１は本発明の無線機の実施の形態を要部のみ示すブロック図である。この図において、１１は無線機全体を制御するＣＰＵであり、このＣＰＵ１１に操作部１２、表示部１３およびメモリ１４が接続される。操作部１２はＯＳＴ（オペレータセレクタブルトーン）キー１５やアップダウンキー１６などを有し、各種の信号を入力する。表示部１３はＬＣＤからなり、チャンネル番号やＯＳＴ機能でのスケルチデータ番号など各種の情報を表示する。メモリ１４は各チャンネルのプリセットデータおよびＯＳＴ機能でのスケルチデータを記憶する。各チャンネルのプリセットデータは図２と同様であり、チャンネル毎に送信周波数、受信周波数、送信スケルチデータ、および受信スケルチデータが記憶される。ＯＳＴ機能でのスケルチデータは例えば図３と同様であり、この例では１６組（Ｎｏ１〜Ｎｏ１６）の送信スケルチデータおよび受信スケルチデータが記憶される。
【００１０】
上記のような無線機はＯＳＴ機能を有し、各チャンネルの送信スケルチデータおよび受信スケルチデータを、各チャンネルにプリセットされている送信スケルチデータおよび受信スケルチデータ（図２）からＯＳＴ機能での送信スケルチデータおよび受信スケルチデータ（図３）に変更することができる。さらに、本発明のＯＳＴ機能によれば、各チャンネルの送信スケルチデータおよび受信スケルチデータが両方とも除去された状態に変更することもできる。このような本発明のＯＳＴ機能を以下図１ないし図５を参照して説明する。図４は動作を説明するための流れ図であり、図５は本発明のＯＳＴ機能で送信スケルチデータおよび受信スケルチデータが変更および除去される様子を示す図である。
【００１１】
チャンネルとしては図２のチャンネル１が選択されているものとする。その状態で操作部１２のＯＳＴキー１５を例えば１秒間長押しすると、表示部１３の表示が図４の表示Ｄ１（「ＣＨ１」のチャンネル１を表示する状態）から図４の表示Ｄ２（「Ｎｏ１」を表示する状態）に切り替わってＯＳＴ機能に突入する。ＯＳＴ機能に突入すると、表示Ｄ２の「Ｎｏ１」の表示からも分かるように初期値として図３のＯＳＴ機能のＮｏ１の送信スケルチデータおよび受信スケルチデータが選択される。そして、この選択状態でＯＳＴキー１５を再度操作すればＮｏ１の送信スケルチデータおよび受信スケルチデータで選択が確定し、チャンネル１の送信スケルチデータおよび受信スケルチデータがＯＳＴ機能のＮｏ１の送信スケルチデータおよび受信スケルチデータに変更される。このとき、表示部１３には図４の表示Ｄ３で示すように「ＣＨ１」と「ＯＳＴ」が表示されて、チャンネル１の送信スケルチデータと受信スケルチデータがＯＳＴ機能の送信スケルチデータと受信スケルチデータに変更されたことが報知される。
【００１２】
図４の表示Ｄ２で「Ｎｏ１」が表示されている状態で操作部１２のアップダウンキー１６を操作すれば、選択されるＯＳＴ機能の送信スケルチデータおよび受信スケルチデータをＮｏ２〜Ｎｏ１６のいずれかに切り替えることができ、かつＮｏ１の初期値の選択に戻すこともできる。このとき、表示部１３には、図４の表示Ｄ４に示すように、選択された送信スケルチデータおよび受信スケルチデータの番号が表示される。そして、このようにしてＮｏ１〜Ｎｏ１６のいずれかの送信スケルチデータと受信スケルチデータを選択した状態でＯＳＴキー１５を操作すれば、その選択された１組の送信スケルチデータおよび受信スケルチデータで選択が確定し、選択されたＯＳＴ機能の送信スケルチデータおよび受信スケルチデータにチャンネル１の送信スケルチデータと受信スケルチデータが変更され、表示部１３の表示は前述した図４の表示Ｄ３となる。
【００１３】
アップダウンキー１６による選択は１７段階に切り替えて行うことができ、１〜１６段階では前記のように、かつ図５に示すようにＯＳＴ機能のＮｏ１〜Ｎｏ１６のいずれかの送信スケルチデータと受信スケルチデータが選択される。これに対して、アップダウンキー１６による選択が１７段階目になると、この段階に対応して送信スケルチデータと受信スケルチデータが記憶されていないので、データ以外を選択する状態となる。そして、その状態になると、その状態になったことをＣＰＵ１１が判別して、図５の選択状態１７に示すようにチャンネル１の送信スケルチデータおよび受信スケルチデータを除去する状態とする。このとき、表示部１３には図４の表示Ｄ５で示すように「Ｎｏ  Ｔｏｎｅ」と表示されてデータ除去が報知される。そして、この状態でＯＳＴキー１５を操作すればデータ除去が確定し、チャンネル１の送信スケルチデータおよび受信スケルチデータは除去された状態に変更され、表示部１３の表示は前述した図４の表示Ｄ３となる。このときの表示Ｄ３は、ＯＳＴ機能でチャンネル１の送信スケルチデータおよび受信スケルチデータが除去されたことを意味する。
【００１４】
なお、このようにしてチャンネル１の送信スケルチデータおよび受信スケルチデータを除去した状態あるいは変更した状態でＯＳＴキー１５を操作すれば、図４に示すように、チャンネル１の送信スケルチデータおよび受信スケルチデータを図２のプリセットされたデータに戻すことができる。さらに、その後、ＯＳＴキー１５を操作すれば、プリセットデータと除去あるいは変更状態との間で、チャンネル１の送信スケルチデータおよび受信スケルチデータを交互に切り替えることができる。
【００１５】
なお、上記の説明はチャンネル１でＯＳＴ機能を使用した場合であるが、他のチャンネルでも同様にして送信スケルチデータおよび受信スケルチデータを変更あるいは除去できる。さらに、ＯＳＴ機能での選択はアップダウンキー以外のスイッチでも行うことができる。
【００１６】
そして、上記のＯＳＴ機能によれば、各チャンネルの送信スケルチデータおよび受信スケルチデータを、各チャンネルにプリセットされているデータからＯＳＴ機能でのデータに変更することができるとともに、各チャンネルの送信スケルチデータおよび受信スケルチデータの両方が除去された状態にも変更することができるので、受信スケルチデータを除去して自機ですべての相手機からの話を聞けるようにするとともに、送信スケルチデータを除去して、いままで送信スケルチデータでスケルチを開いていた相手機で自機の通信が聞けないようにするような通信状態を実現できる。
【００１７】
【発明の効果】
以上詳細に説明したように本発明の無線機によれば、送信スケルチデータと受信スケルチデータの両方が除去された状態にスケルチデータ変更機能で設定することができ、使用者の多様な通信状態に対応することができる。
【図面の簡単な説明】
【図１】本発明による無線機の実施の形態を示すブロック図。
【図２】各チャンネルにプリセットされたデータを示す図。
【図３】ＯＳＴ機能でメモリに記憶されたデータを示す図。
【図４】本発明の実施の形態の動作を示す図。
【図５】本発明の実施の形態で、送信スケルチデータおよび受信スケルチデータが変更および除去される様子を示す図。
【符号の説明】
１１  ＣＰＵ
１２  操作部
１３  表示部
１４  メモリ
１５  ＯＳＴキー
１６  アップダウンキー
【図１】
0003634245.tif 000002
【図２】
0003634245.tif 000003
【図３】
0003634245.tif 000004
【図４】
0003634245.tif 000005
【図５】
0003634245.tif 000006